(57)【要約】  湿式シェービングシステム（１０）は、剥脱部材（２４，６０，５０６）を含み、その位置は、湿式シェービングシステム（１０）のハウジング（１６）及び／又はハンドル（１４）部に対して調節可能である。
2007513712.tif 000002
【特許請求の範囲】
【請求項１】
ハウジングと、
該ハウジング上に取り付けられたブレード部材と、
該ブレード部材近傍の剥脱部材とを含み、
シェービング中に前記剥脱部材と使用者の皮膚表面との間の接触の量又は力を変えるために、前記ハウジングに対する前記剥脱部材の位置は調節可能である、
湿式シェービングシステム。
【請求項２】
使用者の皮膚と接触する前記剥脱部材の表面領域を変えるために、前記ハウジングに対する前記剥脱部材の位置は調節可能である、請求項１に記載のシェービングシステム。
【請求項３】
前記ブレード部材の前縁に対する前記剥脱部材の高さは調節可能である、請求項１に記載のシェービングシステム。
【請求項４】
圧力を制御するために、前記ブレード部材の前縁に対する前記剥脱部材の高さは調節可能である、請求項３に記載のシェービングシステム。
【請求項５】
前記ハウジングの先導皮膚係合面に対する前記剥脱部材の角度は調節可能である、請求項１に記載のシェービングシステム。
【請求項６】
圧力を制御するために、前記ハウジングの先導皮膚係合面に対する前記剥脱部材の角度は調節可能である、請求項５に記載のシェービングシステム。
【請求項７】
前記剥脱部材の位置を調節するよう構成された調節機構をさらに含む、請求項１に記載のシェービングシステム。
【請求項８】
前記調節機構は、前記剥脱部材によって定められるキャビティ内に配置されたカムを含む、請求項７に記載のシェービングシステム。
【請求項９】
前記調節機構は、前記カムに接続された第一端部と、前記ハウジングの外部に配置された第二端部とを有するシャフトをさらに含み、前記カムは、前記シャフトの動作によって作動されるよう構成された、請求項８に記載のシェービングシステム。
【請求項１０】
前記調節機構は、第一端部で前記剥脱部材に結合され、且つ、第二端部でスライドアクチュエータに結合されたリンクを含み、前記スライドアクチュエータは、前記リンクの位置を調節可能である、請求項７に記載のシェービングシステム。
【請求項１１】
前記調節機構は、その円周の周りで変化する厚さを有するホイールを含み、該ホイールの第一部分は、前記剥脱部材の下に配置され、前記ホイールの第二部分は、使用者が前記ホイールを回転するのを可能にするよう露出されている、請求項７に記載のシェービングシステム。
【請求項１２】
前記剥脱部材は、蝶番の上に取り付けられ、前記ホイールは、前記蝶番について前記剥脱部材を旋回するよう構成された、請求項１１に記載のシェービングシステム。
【請求項１３】
前記剥脱部材は、シャフトの上に配置された筒ローラを含み、前記調節機構は、前記シャフトを回転するよう構成されたホイールを含む、請求項７に記載のシェービングシステム。
【請求項１４】
前記筒ローラは、少なくとも２つの異なる種類の剥脱素子が配置される外面を定める、請求項１３に記載のシェービングシステム。
【請求項１５】
前記シャフトは、偏心シャフトを含む、請求項１３に記載のシェービングシステム。
【請求項１６】
前記調節機構は、前記剥脱部材の下に配置されたロッドを含み、該ロッドは、それが使用者によって作動されるとき、前記剥脱部材に圧力を加えるよう構成される、請求項７に記載のシェービングシステム。
【請求項１７】
前記剥脱部材は蝶番の上に取り付けられ、前記ロッドは、前記蝶番について前記剥脱部材を旋回するよう構成された、請求項１６に記載のシェービングシステム。
【請求項１８】
前記調節機構は、使用者によって前記剥脱部材の露出面の全部又は一部に亘って位置付けられ或いは全く位置付けられないよう構成された調節可能なカバーを含む、請求項７に記載のシェービングシステム。
【請求項１９】
前記調節可能なカバーは、透明なプラスチック材料を含む、請求項１８に記載のシェービングシステム。
【請求項２０】
前記調節機構は、前記剥脱部材と接触する螺刻されたポストを含み、前記ネジ付きポストはサムホイール内に配置される、請求項７に記載のシェービングシステム。
【請求項２１】
前記調節機構は、前記剥脱部材の下に配置されたバネを含む、請求項７に記載のシェービングシステム。
【請求項２２】
前記バネは、波形バネを含む、請求項２１に記載のシェービングシステム。
【請求項２３】
前記バネは、コイルバネを含む、請求項２１に記載のシェービングシステム。
【請求項２４】
前記剥脱部材は、弓形プレートを含む、請求項１に記載のシェービングシステム。
【請求項２５】
前記調節機構は、前記剥脱部材の下に配置されたレバーを含む、請求項７に記載のシェービングシステム。
【請求項２６】
前記調節機構は、枢軸、スライド、レバー、バネ、カム面、ホイール、及び、ネジから成る群から選択される、請求項７に記載のシェービングシステム。
【請求項２７】
前記剥脱部材は、プレート、ローラ、又は、パッドを含む、請求項１に記載のシェービングシステム。
【請求項２８】
前記剥脱部材に隣接して保護部をさらに含む、請求項１に記載のシェービングシステム。
【請求項２９】
前記剥脱部材は、研磨面、鋳造組織面、メッシュ、並びに、組織金属及び石面から成る群から選択される剥脱面を含む、請求項１に記載のシェービングシステム。
【請求項３０】
前記剥脱部材は、研磨粒子又は繊維を含む、請求項１に記載のシェービングシステム。
【請求項３１】
前記剥脱部材は、シェービング補助を含むシェービング補助マトリックスを含む、請求項１に記載のシェービングシステム。
【請求項３２】
前記剥脱部材は固定的に取り付けられ、前記ハウジングの一部は前記剥脱部材に対して移動可能である、請求項１に記載のシェービングシステム。
【請求項３３】
前記剥脱部材は固定的に取り付けられ、前記ブレード部材のシェービング面は前記剥脱部材に対して移動可能である、請求項１に記載のシェービングシステム。
【請求項３４】
本体部と、
該本体部に取り付けられたカートリッジ部と、
該カートリッジ部に取り付けられたブレード部材と、
前記本体部から延びるハンドル部と、
該ハンドル部上に取り付けられた剥脱部材とを含み、
前記ハンドル部に対する前記剥脱部材の位置は調節可能である、
シェービングシステム。
【発明の詳細な説明】
【技術分野】
【０００１】
本発明は、シェービングシステムに関する。
【背景技術】
【０００２】
剥脱は、一般的に、死んだ皮膚の薄片又は鱗片の剥離として表現され得る。剥脱によって皮膚の外観及び全体的感触を向上し得る。例えば、研磨粒子を含む化粧品の使用によって、或いは、ヘチマのような研磨材料で皮膚を擦ることによって剥脱を達成し得る。
【０００３】
湿式シェービングシステムの感覚特性を向上することが既知である。例えば、Ｌｙａｌｌ、米国特許第３，９３９，５６０号は、粗面化された保護面を備えるシェービング器具を開示している。Ｌｙａｌｌにおける保護面は、それを粒子によって研磨することによって、或いは、代替的に、粒子でそれを被覆又は含浸することによって粗面化され得る。
【発明の開示】
【発明が解決しようとする課題】
【０００４】
本発明は、概ね、調節可能な剥脱部材を備えたシェービングシステムに関する。剥脱部材を調節することは好ましくあり得る。何故ならば、例えば、異なる使用者は異なる程度の剥脱を望み得るからである。
【課題を解決するための手段】
【０００５】
１つの特徴において、本発明は、ハウジングを備える湿式シェービングシステムを特徴とする。ブレード部材がハウジング上に取り付けられる。湿式シェービングシステムは、ブレード部材近傍にある剥脱部材も含む。「近傍に」によって、我々は、剥脱部材が、ブレード部材の直近であり得るし、或いは、ブレード部材から離間するが、シェービング中に剥脱作用を遂行するよう十分に近接し得ることを意味する。シェービング中に剥脱部材と使用者の皮膚面との間の接触の量又は力を変えるために、ハウジングに対する剥脱部材の位置は調節可能である。
【０００６】
他の特徴において、本発明は、本体部と、本体部に取り付けられたカートリッジ部とを備えるシェービングシステムを特徴とする。ブレード部材はカートリッジ部上に取り付けられる。シェービングシステムは、本体部から延びるハンドル部と、ハンドル部上に取り付けられる剥脱部材とをさらに含む。ハンドル部に対する剥脱部材の位置は調節可能である。
【０００７】
実施態様は、以下の１つ又はそれ以上を含み得る。
【０００８】
使用者の皮膚に接触する剥脱部材の表面領域を変えるために、ハウジングに対する剥脱部材の位置を調節し得る。（例えば、圧力を制御するために）ブレード部材の前縁に対する剥脱部材の高さを調節し得る。（例えば、圧力を制御するために）ハウジングの先導皮膚係合面に対する剥脱部材の角度を調節し得る。
【０００９】
シェービングシステムは、剥脱部材の位置を調節し得る調節機構をさらに含み得る。
【００１０】
調節機構は、剥脱部材によって定められるキャビティ内に配置されるカムを含む。そのような場合には、調節機構は、カムに接続された第一端部と、ハウジングの外部に配置された第二端部とを備えるシャフトさらに含む。シャフトの動作によって作動されるようカムを構成し得る。
【００１１】
調節機構は、第一端部で剥脱部材に結合され且つ第二端部でスライドアクチュエータに結合されたリンクを含み得る。スライドアクチュエータはリンクの位置を調節し得る。
【００１２】
調節機構は、その円周の周りで変化する厚さを有するホイールを含み得る。ホイールの第一部分を剥脱部材の下に配置し得るし、使用者がホイールを回転することを可能にするよう、ホイールの第二部分を露出し得る。そのような場合には、剥脱部材を蝶番上に取り付け得るし、蝶番について剥脱部材を旋回するようホイールを構成し得る。
【００１３】
調節機構は、剥脱部材の下に配置されるロッドを含み得る。ロッドが使用者によって作動されるときに剥脱部材に圧力を加えるようロッドを構成し得る。そのような場合には、剥脱部材を蝶番上に取り付け得る。蝶番について剥脱部材を旋回するようロッドを構成し得る。
【００１４】
調節機構は、（例えば、プラスチック材料から成る）調節可能なカバーを含み得る。使用者は、カバーを剥脱部材の露出面の全部又は一部に亘って位置付け得るし或いは全く位置付けなくてもよい。
【００１５】
調節機構は、剥脱部材と接触し且つサムホイール内に配置されるネジ付きポストを含み得る。
【００１６】
調節機構は、剥脱部材の下に配置されるバネ（例えば、波形バネ、コイルバネ）を含み得る。
【００１７】
調節機構は、枢軸、スライド、（例えば、剥脱部材の下に配置されるレバー）、バネ、カム面、ホイール、又は、ネジを含み得る。
【００１８】
剥脱部材は、シャフト（例えば、偏心シャフト）上に配置される筒ローラを含み得る。そのような場合、調節機構は、シャフトを回転するよう構成されるホイールを含み得る。筒ローラは、その上に配置された少なくとも２つの異なる種類の剥脱素子を備えた外面を有し得る。
【００１９】
剥脱部材は、例えば、プレート、ローラ、又は、パッドを含み得る。剥脱部材は、弓形プレートを含み得る。
【００２０】
シェービングシステムは、剥脱部材に隣接する保護部をさらに含み得る。
【００２１】
剥脱部材は、研磨面、鋳造組織面、メッシュ、組織金属面、及び／又は、石面である剥脱面を有し得る。剥脱部材は、研磨粒子及び／又は繊維を含み得る。
【００２２】
剥脱部材は、シェービング補助を有するシェービング補助マトリックスを含み得る。
【００２３】
剥脱部材を固定的に取り付け得るし、ハウジングの一部は剥脱部材に対して移動可能であり得る。
【００２４】
剥脱部材を固定的に取り付け得るし、ブレード部材のシェービング面は剥脱部材に対して移動可能であり得る。
【００２５】
実施態様は、以下の利点の１つ又はそれ以上を含み得る。使用者は、彼又は彼女の快適性レベルに適するよう、剥脱の程度を調節並びに／或いは微調整し得る。調節可能な剥脱部材を使用することによって、使用者は、例えば、高い剥脱レベルで時々剥脱するか或いは低い剥脱レベルで頻繁に剥脱するかを選択し得る。使用者は、皮膚に対する著しい不快感を招くことなく規則的に剥脱し得る。使用者は剥脱及びシェービングを同時に行い得るので、スキンケアに要する時間を削減し得る。剥脱材料は、皮膚面の直下に捕捉される毛を解放するのに役立ち得る。さらに、剥脱材料は、毛が剃刀ブレードによって切断される直前に毛を好適に向け、より近接した且つより効率的なシェービングをもたらし得る。
【００２６】
本発明の他の特徴及び利点は、明細書、図面、及び、請求項から明らかであろう。
【発明を実施するための最良の形態】
【００２７】
本発明は、概ね、調節可能な剥脱部材を備えるシェービングシステムに関する。剥脱部材を手動で或いは自動的に調節し得る。
【００２８】
図１及び１Ａは、手動で調節可能な剥脱部材を備える湿式シェービングシステムを示している。図１及び１Ａにおいて、湿式シェービングシステム１０は、ハンドル部１４に取り付けられたシェービング部１１を含む。シェービング部１１は、交換可能なカートリッジ１２を有する。図１及び１Ａの湿式シェービングシステム１０は交換可能なカートリッジを有するが、一部の実施態様において、それはハンドル部１４と一体のシェービングヘッドを含み得るので、ブレード又は複数のブレードが鈍くなったときに、剃刀全体がユニットとして廃棄される。
【００２９】
図２も参照すると、カートリッジ１２は、３つのブレード１８と保護部２０とを支持するハウジング１６を含む。ブレード１８は、それぞれ前縁（ＬＢ１、ＬＢ２、又は、ＬＢ３）を有する。前縁は、平面Ｐに沿って位置する。保護部２０は、例えば、プラスチック（例えばエラストマー又はウレタン）から成る複数のフィン２２の形態である。フィン２２は、皮膚を伸ばし及び／又は毛をシェービングに最適な位置に向けるのを助け得る。一部の場合には、フィン２２は、シェービング中の快適性を向上するために、皮膚を鈍感にし得る。保護部２０は図２においてフィンを含むが、保護部２０は多くの他の異なる幾何を有し得る。一例として、一部の実施態様において、保護部２０は、例えば、凹部又はバンプのような隆起面を備えるリッジ又はパッドの形態であり得る。
【００３０】
保護部２０に隣接して剥脱素子２６を含む剥脱部材２４がある。図２において、剥脱部材２４は、ブレード１８の前方に位置するので、使用者の皮膚は、ブレードと接触する前に、剥脱部材と接触するのが一般的である。よって、使用者の皮膚は、典型的にはシェービングされる直前に剥脱される。適切な剥脱素子は、共有され且つ同時係属中の２００３年３月１８日に出願された「シェービングシステム」と題する米国特許出願第６０／４５５，６４６号に記載されているものを含み、その全文を参照として本明細書に引用する。剥脱部材２４は、例えば、取り付けられた研磨材（例えば、紙ヤスリ）、工学繊維を含有する複合材、（ブラシ繊維上に研磨素子を備え或いは備えない）ブラシ、鋳造面（例えば、粗面化された鋳造面）、ワイヤメッシュ、粗面化された（例えばエッチング処理された）金属面、石又は石状材料（例えば、軽石）、個別指（例えば、プラスチック指）、個別ノブ、吹付け塗装面或いは浸漬被覆面、フロックフォーム、織物面（例えば、テリー織物）、又は、マジックテープ（登録商標）（例えば、Ｖｅｌｃｒｏ（ＴＭ）ファスナ）のフック及び／又はループ構成要素であり得る。
【００３１】
剥脱部材２４は、露出部２８及び封入部３０を含む。露出部２８は、ブレード１８及び保護部２０と同様に、シェービング中に使用者の皮膚と接触するように構成されるよう、露出部はカートリッジ１２の表面上に位置する。封入部３０はハウジング１６内に位置する。以下に議論されるように、封入部の一部は、調節中に露出されるようになり得る。
【００３２】
剥脱部材２４を手動調節機構によって調節し得る。図２において、手動調節機構３２は、ホルダ３５に螺入するネジ３５と、ネジに接続されるカム３６とを含む。カム３６は、剥脱部材３４の封入部３０内の空間内に配置されている。波形バネ３７が、剥脱部材２４を上方に付勢し、使用者がその表面の一部に対して圧力を加えるとき、剥脱部材を安定化し得る。波形バネ３７は、分配された復元力を剥脱部材の長さ及び幅に亘って加えることによって、剥脱部材２４を安定化し得る。さらに、波形バネ３７は、剥脱部材２４がハウジング１６内に結合し或いは固着するのを防止するのに役立ち得る。図２には波形バネが示されているが、一部の場合には、剥脱部材を例えばフォームパッド又は鋳造シェブロンによって上方に付勢し得る。
【００３３】
今や図２Ａも参照すると、使用者が手動でネジ３４を約０〜約３６０度の間だけ回転すると、カム３６が回転し、剥脱部材２４に押圧し、それによって、それを距離Ｄに亘って横方向に移動させる。剥脱部材２４の露出部２８の表面領域は、空間３８内のカム３６の位置に依存して、カム３６の回転に応じて増大或いは減少する。カムの回転に応じて、使用者の皮膚に対する露出部の位置も変化する。剥脱部材が最大限に変位するとき（即ち、それが距離Ｄだけ変位するとき）、使用者は最大の量及び強度の剥脱を経験する。剥脱部材２４が回転してその元の位置に戻されると、使用者は減少された量及び強度の剥脱を経験する。よって、剥脱部材２４を調節することによって、使用者は剥脱部材と皮膚との間の接触の量及び／又は力を調節し得る。
【００３４】
しかしながら、カムは、図２及び２Ａにおいて有するような形状を有する必要はない。例えば、図２Ｂ乃至２Ｄにおいて、手動調節機構７０１は、曲面及び２つの実質的に垂直な平面的な側面７０６，７１４を備える楔形状のカム７０２を含む。カム７０２の楔形状は、剥脱部材７１６を上方又は下方に作動する。側面７０６，７１４の故に、カムは、さらに回転するのを停止するまで、約９０度回転し得るだけである。図２Ｃにおいて、カム７０２の側面７０６は、剥脱部材７１６内に空間７１０を定める壁７０８に対して静止している。今や図２Ｄを参照すると、使用者が手動でネジ７１２を矢印Ａによって指し示される方向に回転すると、側面７０６は壁７０８との接触を失う。カム７０２が約９０度回転した後、カムの側面７１４が壁７０８と接触する。よって、剥脱部材７１６は、カム７０２の楔形状によって科される制限によって決定される距離内で上方又は下方に移動する。そのような構成の１つの利点は、それが使用者に彼又は彼女がいつ剥脱の最小及び最大地点に達したかを知ることを許容し得ることである。
【００３５】
一部の実施態様においては、図２Ｅ及び２Ｆを参照すると、手動調節機構７５０は、３つの概ね平面的な表面７５８，７５９，７６２を備える切子面カム７５４を含む。使用者がネジ７６６を回転すると、使用者は、いつ剥脱部材７７０が最小剥脱地点、最大剥脱地点、中間剥脱地点にあるかを感知し得る。図２Ｅ及び２Ｆの切子面カムは３つの概ね平面的な表面を有するが、他の実施態様において、それは３つ以上の概ね平面的な表面（例えば、３つ，４つ，５つ，６つの概ね平面的な表面）を有し得る。そのようなカムを用いることで、使用者は彼又は彼女がいつ剥脱の異なるレベルに達したかを決定し得る。
【００３６】
図２乃至２Ｆの手動調節機構はそれぞれネジ及びカムを含むが、多くの異なる種類の手動調節機構が可能である。例えば、図３において、カートリッジ１２は、スライドアクチュエータ４２を含む手動調節機構４０を有する。スライドアクチュエータ４２は、リンク４８の一端に接続されたノブ４６を有する。リンク４８はスロット４８に嵌入し、他端で剥脱部材４２に接続されている。スロット４４は対角線形状を有する。よって、使用者がスライドアクチュエータ４２をスロット４４内で（矢印Ａ１によって指し示されるように）対角に移動すると、剥脱部材２４は、矢印４２の方向に、横方向に移動する。手動調節機構４０は、使用者に剥脱部材２４の比較的邪魔にならない調節手段をもたらし得る。一部の場合には、バネ（図示せず）のような付勢手段を剥脱部材２４の下方に配置し得る。付勢手段は、剥脱部材をハウジング１６内により緊密に嵌入させることによって、剥脱部材を安定化し得る。特定の実施態様では、プッシュバイ戻り止が剥脱部材を所定位置に維持するのを助け得る。例えば、スロット４４は戻り止を有し得ることで、スライドアクチュエータ４２は、スロットが戻り止を含まないとき程には容易及び／又は迅速にスロット４４内で移動しない。
【００３７】
さて図４を参照すると、手動調節機構の他の実施態様が示されている。手動調節機構５０は、枢軸５２と、ホイールアクチュエータ５４とを含む。図４Ａ及び４Ｂに示されるように、ホイールアクチュエータ５は、一方の領域が他方の領域よりも厚肉である。よって、使用者がホイールアクチュエータ５４を回転すると、剥脱部材２４は、その下方のホイールアクチュエータ５４の部分の厚さに依存して、上方又は下方に移動する。図４Ａでは、ホイールアクチュエータ５４の最大厚さ部分が剥脱部材２４の下にあるので、剥脱部材はその最上方位置に配置される。図４Ｂでは、ホイールアクチュエータ５４の最小厚さ部分が剥脱部材２４の下方にあるので、剥脱部材はその最下方位置に配置される。
【００３８】
枢軸５２は回転の地点をもたらし、剥脱部材２４がフラップ動作の種類で上方又は下方にシフトすることを可能にする。剥脱部材がシフトすると、剥脱部材２４とカートリッジハウジング１６の先導皮膚係合面ＬＣとの間の角度が変化する。図４Ａでは、剥脱部材の平面は先導皮膚係合面ＬＣの上に配置されるので、剥脱部材と先導皮膚係合面ＬＣとの間の角度Ｘは正である。図４Ｂでは、剥脱部材の平面は先導皮膚係合面ＬＣの下に配置されるので、剥脱部材と先導皮膚係合面ＬＣとの間の角度Ｘ’は負である。よって、図４Ａにおける剥脱部材２４の露出部２８は、図４Ｂにおける剥脱部材２４の露出部２８’よりも大きな表面領域を有する。
【００３９】
角度Ｘ及びＸ’は、約−１５度〜約１５度（例えば、約７度、約−７度）であり得る。剥脱部材２４及び先導皮膚係合面ＬＣが図４Ａに従って（即ち、相互に対する角度Ｘで）向けられるとき、使用者は一般的に比較的多量の剥脱を経験する。剥脱部材２４及び先導皮膚係合面ＬＣが図４Ｂに従って（即ち、相互に対する角度Ｘ’で）向けられるとき、使用者は一般的に比較的少量の剥脱を経験する。よって、剥脱部材とカートリッジハウジングの先導皮膚係合面との間の角度を調節することによって、使用者は彼又は彼女の好みに適するよう剥脱の程度を調節し得る。
【００４０】
図５において、剥脱部材６０は円筒形ローラであり、ホイール６２を含む手動調節機構６１によって回転可能である。ホイール６２は、カートリッジハウジング１６内の凹部６３内に配置される。一部の場合には、図５におけるホイールの位置は、シェービング中にホイールを不注意に係合させ且つ回転させ得る。よって、所望であれば、カートリッジ１２は、例えば、戻り止、摩擦クラッチ、及び／又は、ホイール６２の偶発的な係合及び回転の可能性を低減する他の手段を含み得る。特定の実施態様では、図５に示されるホイール６２の位置とは異なるカートリッジ１２上の場所にホイール６２を位置付け得る。
【００４１】
今や図５Ａも参照すると、別個の部分６４，６６，６８を有する。使用者がホイール６６によって剥脱部材６０を回転すると、使用者の皮膚に露出される剥脱部材６０の部分又は複数の部分が変化し得る。例えば、ホイール６２を用いて、元々は使用者の皮膚に露出されていた部分６６が隠され、部分６８が今や使用者の皮膚６８に露出されるよう、使用者は剥脱部材６０を回転し得る。
【００４２】
部分６４，６６，６８は、異なる数の剥脱素子を含み得る。例えば、部分６４は比較的少数の剥脱素子を含み、相応して低レベルの剥脱をもたらし得る。同時に、部分６６は中間数の剥脱素子を有し、それによって、中間レベルの剥脱をもたらし得る。他方、部分６８は多数の剥脱素子を有し、比較的高レベルの剥脱をもたらし得る。よって、使用者の所望量の剥脱に最適な部分への露出を得るために、使用者は、ホイール６２を回転することによって、剥脱部材６０と皮膚との間の接触の量を変更し得る。
【００４３】
一部の場合には、異なるレベルの剥脱をもたらすために、部分６４，６６，６８は、異なる種類の剥脱素子を有し得る。例えば、部分６４は、粉砕された果物種（例えば、粉砕されたアプリコット種）を含み得るのに対し、部分６６は粉砕されたナッツ殻（例えば、粉砕されたクルミ殻）を含み、部分６８は粉砕された或いは繊維状の食物材料（例えば、ヘチマ）を含む。
【００４４】
特定の実施態様において、剥脱部材６０の異なる部分は、異なる色を含み得る。例えば、比較的低い剥脱力を備える部分は白色であるのに対し、中間の剥脱力を備える部分は薄い青色であり、高い剥脱力を備える部分は濃い青色であり得る。一部の場合には、部分の色は、その部分内に存在する剥脱素子の種類を指し示し得る。例えば、アボカド種を含む部分は緑色であり得る。
【００４５】
剥脱部材６０の３つの別個の部分が図５及び５Ａに示されているが、剥脱部材は、より高い或いはより低い数の別個の剥脱部分（例えば、１つの別個の部分、２つの別個の部分、４つの別個の部分、５つの別個の部分、６つの別個の部分）を有し得る。
【００４６】
さて図６を参照すると、他の手動調節機構が示されている。図６において、剥脱部材８０は、図５の剥脱部材６０と同様に、円筒形ローラである。しかしながら、剥脱部材８０は、その表面全体に亘って概ね同一の密度の剥脱素子を有する。手動調節機構１００は、第一偏心シャフト１０４（図６Ａ）に接続されたホイール１０２を含み、次いで、第一偏心シャフトは剥脱部材８０の１つの側部接続されている。剥脱部材８０の他の側部上では、第二偏心シャフト１０６が、一端で剥脱部材に接続され、他端でハウジング１６に接続されている。使用者がホイール１００を回転すると、剥脱部材８０は、矢印Ａ３によって指し示される方向に、横方向に移動する。よって、使用者は、剥脱の程度及び範囲を手動で変え得る。図５を参照して上記に議論されたように、所望であれば、カートリッジ１２は、例えば、戻り止、摩擦クラッチ、及び／又は、ホイール１００の偶発的な係合及び回転の可能性を減少する他の手段を含み得る。特定の実施態様において、図６に示されるものと異なるカートリッジ１２上の位置にホイール１００を配置し得る。
【００４７】
上記のカートリッジの実施態様の全ては、ブレードの前方に位置する剥脱部材を有する（即ち、従って、使用者の皮膚は、ブレードと接触する前に、概ね剥脱部材と接触する）。剥脱部材のためのそのような場所は、使用者に剥脱の良好な制御を許容し得る。一部の場合には、使用者は、もし剥脱部材が他の場所に位置するであろう場合よりも容易に剥脱の場所及び圧力を操作し且つ制御し得る。剥脱部材がブレードの前方に位置するならば、それは保護部がより容易なシェービングのために皮膚を伸ばし並びに／或いは毛を伸ばすのを助け得る。剥脱部材がブレードの前方に位置する一部の場合には、ブレード後方の空間は、例えば、シェービング後に皮膚に吸収され得る潤滑又は湿潤シェービング補助マトリックス（以下に記載される）のために利用可能であり得る。
【００４８】
上記に示されたカートリッジの実施態様はブレードの前方に位置する剥脱部材を有するが、他の幾何も可能である。例えば、図７は、剥脱部材２４がブレード１８の後方に配置されたカートリッジの実施態様を示している。よって、使用者が剃刀を用いてシェービングするとき、使用者の皮膚は、剥脱部材２４と接触する前に、概ねブレード１８と接触する。剥脱部材がブレードの後方に配置されるとき、ブレード前方の空間を（以下に記載される潤滑又は湿潤シェービング補助マトリックスのような）他のスキンケア機能のために用い得る。加えて、ブレードの後方に位置する剥脱部材は、ブレードによって切断されたばかりの毛の縁部を鈍くし、さもなければ、滑らかにし得る。さらに、剥脱部材がブレードの後方に位置するとき、それはシェービング後に皮膚を清浄にし並びに／或いは滑らかにするのを助け得る。
【００４９】
図７において、手動調節機構１３０は、作動タブ１３４及び戻り止１３６を備えるプッシャー１３２を含む。戻り止１３６は、カートリッジハウジング１６内の溝と係合する。プッシャー１３２は、剥脱部材２４と接触する先端部１４０を形成するために、一端で傾斜している。剥脱部材２４は一体蝶番１４２の一端に取り付けられているので、剥脱部材は一体蝶番の動作に従う。使用者がプッシャー１３２を（矢印によって示されるように）水平方向に移動するとき、剥脱部材２４は相応して上方又は下方に移動し、一体蝶番１４２の地点で旋回する。
【００５０】
図８を参照すると、一部の場合には、剥脱部材２４のための手動調節機構は、剥脱部材２４の一部又は全部を防護し得る或いは全く防護し得ないカバーである。図８において、剥脱部材２４は、調節可能なカバー１６０を含む。使用者が剥脱部材の被覆の程度を見ることができるよう、カバー１６０を、例えば透明材料（例えば、ポリプロピレンのような透明プラスチック）で構成し得る。カバー１６０はノッチ付きスロット１６８内に配置されたレバー１４０によって調節される。カバー１６０による剥脱部材２４の被覆の程度を変えるために、使用者はノッチ付きスロット１６８内のレバー１６４の位置を調節し得る。よって、使用者は、剥脱部材２４と皮膚との間の接触の量を調節し得る。湿式シェービングシステム１０が使用されないとき、剥脱部材２４を保護するためにカバー１６０を用い得る。
【００５１】
今や図９及び９Ａを参照すると、手動調節機構の他の実施態様が示されている。図９及び９Ａにおいて、手動調節機構１８０は、サムホイール１８４に対して固定されたポスト１８２を含む。ポスト１８２の一部は螺刻され、剥脱部材２４の対応する螺刻区画に螺入される。使用者がサムホイール１８４を回転すると、ポスト１８２に移動し、剥脱部材２４を上方又は下方に移動させる。
【００５２】
図９及び９Ａのポスト１８２は部分的にのみ螺刻されているが、一部の場合には、それはその全長に亘って螺刻され得る。例えば、図９Ｂに示されるように、サムホイールの内面も螺刻され得るし、剥脱部材をポストに固定的に取り付け得る。使用者がサムホイールを回転すると、ポストは上方及び下方に移動し、それによって、剥脱部材も同様に移動させる。よって、（図９及び９Ａの実施態様では、剥脱部材はポストに沿って上方及び下方に移動するが）、この実施態様では、剥脱部材はポストに対して固定されたままである
【００５３】
今や図９Ｃを参照すると、一部の場合に、剥脱部材それ自体がポストを形成し得る。図９Ｃにおいて、剥脱部材２４はポスト１９４を形成する部分を含む。使用者がサムホイール１９６を回転すると、ポスト１９４（及び、従って、剥脱部材２４の全体）が上方及び下方に移動する。
【００５４】
図１乃至９Ｃを参照して上記に示された調節機構は手動調節機構であるが、一部の場合には、剥脱部材と使用者の皮膚との間の接触の量及び／又は力を変えるために、剥脱部材を自動的に調節し得る。
【００５５】
例えば、今や図１０を参照すると、自動調節機構２００は、剥脱部材２４の下方に、ハウジング１６内の空間２０８内に位置する波形バネ２０４を含む。波形バネ２０４を弾性部材（例えば、バネ鋼）で形成し得る。波形バネ２０４は逃げとして作用し、使用者が剥脱中に過剰な圧力を皮膚に対して加えることを防止し得る。換言すれば、波形バネ２０４は、剥脱部材２４がハウジング１６内に後退することを許容し得る。よって、使用者は、（例えば固定的な剥脱パッドを使用するときに使用者が経験し得る剥脱に対して）過度に強烈な剥脱を経験することを防止され得る。波形バネが図１０に示されているが、一部の場合には、調節機構２００は、例えば、（例えば閉塞セル又は解放セルフォームを有する）弾性フォーム、又は、剥脱部材２４の基部と一体のシェブロンを含み得る。
【００５６】
図１１は、図１０を参照して示されるものと類似するカートリッジを示している。図１１において、カートリッジ１２は、剥脱部材２４の下方で、ハウジング１６内の空間２２４内に位置する波形バネ２２０を含む。しかしながら、図１１では、使用者が剃刀でシェービングするとき、使用者の皮膚が剥脱部材２４と接触する前に概ねブレード１８と接触するよう、剥脱部材２４はブレード１８の後方に配置されている。
【００５７】
しかしながら、自動調節機構は波形バネである必要はない。異なる種類のバネ及びバネ状機構が剥脱部材２４との使用に適する。図１２では、例えば、自動調節機構２５０は、剥脱部材２４の一部の下方に配置されたコイルバネ２５４を含む。剥脱部材２４は、蝶番２５８を介してハウジング１６に取り付けられている。使用者が剥脱部材２４を彼又は彼女の皮膚に対して押圧すると、コイルバネ２５４は、皮膚に対する剥脱部材２４の作用を軽減する。コイルバネ２５４を剥脱部材２４の底部に取り付け得るし、（シェブロン又は複数のシェブロンとして）剥脱部材２４と一体に鋳造し得る。コイルバネは逃げとして作用し、使用者が剥脱中に過剰な圧力を皮膚に対して加えることを防止し得る。換言すれば、コイルバネ２５４は、剥脱部材２４がハウジング１６内で後退することを許容し得る。よって、使用者が彼又は彼女の皮膚を剥脱部材に対して押圧すればするほど、使用者は余り強烈でない剥脱を経験し得る。
【００５８】
波形バネ及びコイルバネが図１０乃至１２に示されているが、バネ状特性を備える他の構成要素も波形又はコイルバネの効果と類似する効果を有し得る。例えば、調節機構は、ポリオレフィンフォーム（例えば、Ｖｏｌｔｅｋから入手可能なＶｏｌａｒａ（Ｒ））、ポリエチレンフォーム（例えば、Ｖｏｌｔｅｋから入手可能なＭｉｎｉｃｅｌ（Ｒ））、又は、セル状ウレタンフォーム（例えば、Ｒｏｇｅｒｓ  Ｃｏｒｐｏｒａｔｉｏｎから入手可能なＰｏｒｏｎ（Ｒ））のようなフォーム材料であり得る。
【００５９】
自動調節機構の他の実施態様が図１３及び１３Ａに示されている。図１３及び１３Ａにおいて、調節機構３００はロッド３０４を含む。ロッド３０４は、一端で弓形プレートの形態の剥脱部材２４に接続されている。その他端で、ロッド３０４は、カートリッジハウジング１６の底面３０６を貫通して延びている。使用者がロッド３０４を引っ張ると、剥脱部材は凹或いは「オフ」位置Ｐ１にスナップインするので、使用者は剥脱を余り或いは全く経験しない。使用者がロッド３０４を押すと、剥脱部材は凸又は「オン」位置Ｐ２にスナップインするので、使用者は剥脱を経験する。
【００６０】
一部の場合には、剥脱部材のための調節機構を湿式シェービングシステムのハンドル部に位置付け得る。そのようなシステムでは、調節機構がカートリッジ状に位置する場合と比べて、使用者はシェービング中に調節機構をあまり偶発的に作動しそうにない。
【００６１】
例えば、今や図１４及び１４Ａを参照すると、シェービング部１１はハンドル部１４に接続され、カートリッジ１２を含む。手動調節機構４００は、ハンドル部１４を通じて螺合されるネジ４０４と、ネジ４０４の端部４０８と接触するレバー４１２とを含む。レバー４０８は、剥脱部材２４とも接触している。使用者がネジ４０４を回転すると、レバー４１２は移動し、剥脱部材２４を軸方向に移動させる。
【００６２】
一部の場合には、湿式シェービングシステムは、シェービング部１１上の１つの剥脱部材と、ハンドル部１４上の他の剥脱部材とを含み得る。例えば、シェービング部１１は、剥脱素子としてアボカド種顆粒を備えた剥脱部材を有し得るのに対し、ハンドル部は、剥脱素子としてアルファヒドロキシ酸マイクロカプセルを有する。
【００６３】
剥脱部材は、剥脱に適した如何なる組織をも有し得る。剥脱部材は、不織布繊維の組織のような比較的滑らかな剥脱組織を有し得るし、軽石組織のような比較的粗い剥脱組織を有し得る。
【００６４】
剥脱部材中の剥脱素子は、多数の異なる種類の剥脱素子のいずれかであり得る。例えば、剥脱素子は、粉砕された果実種及び石（例えば、アプリコット、ピーチ、アボカド、若しくは、オリーブ種若しくは石）、粉砕されたナッツ殻（例えば、クルミ、アーモンド、ココナッツ、又は、ピーカン殻）、粉砕された或いは繊維状の植物材料（例えば、ヘチマ、トウモロコシの穂軸、オートミール）、重合体ビーズ若しくは顆粒状重合体（例えば、ポリスチレンビーズ、ポリエチレンビーズ）、ホホバワックスビーズ、米糠、シリカ、ミネラル、顆粒状ミネラル複合物（例えば、砂、軽石砂）、粘度、又は、これらの組み合わせのような研磨粒子を含み得る。剥脱素子は可溶であり得る。剥脱素子は、初めに使用者の皮膚に接触した後に研磨作用があるが、その後、水又はシェーブクリーム及びジェルと接触した後に溶ける材料（例えば、海塩）であり得る。
【００６５】
一部の場合には、剥脱素子は、アルファ又はベータヒドロキシ酸（例えば、クエン酸、乳酸、グリコール酸、酒石酸）のような化学的皮膚摩擦剤を含み得る。そのような場合には、シェービング中に破裂し、それによって、皮膚摩擦剤を解放するマイクロカプセル内に、化学的皮膚摩擦剤を収容し得る。この場合には、破裂したものと置換するよう新しいマイクロカプセルが露出されるよう、シェービング中に侵食或いは溶けるマトリックス材料を使用することが概ね望ましい。適切なマイクロカプセルは、約５０ミクロン未満〜約１０００ミクロンの範囲のサイズであり得る。マイクロカプセル化は、例えば、侵食又は感熱酸を押出又は鋳造操作中の分解から保護することによって、皮膚摩擦剤を保護するのを助け得る。
【００６６】
一般的に、適切な剥脱素子は、剥脱素子がシェービング中に皮膚の緩い薄片を除去することを可能にする硬度、粗さ、及び／又は、粘着性を有する。剥脱素子がシェービング中に破裂しないよう、剥脱素子は十分に硬くあり得るが、所望であれば、それらはより軟らかくあり得る。
【００６７】
剥脱素子は、約２ｍｍ〜約１０ｍｍの間の幅、及び、約２０ｍｍ〜約４０ｍｍの間の高さを有し得る。剥脱素子が円筒形状であるとき、円筒は約４ｍｍ〜約８ｍｍの間の直径を有し得る。剥脱素子の厚さは、約０．２５ｍｍ〜約１０ｍｍの間であり得る。
【００６８】
ブレードの前縁が位置する平面に対する剥脱部材の露出部の高さを、約２ｍｍ未満、好ましくは約１ｍｍ未満の量だけ上方又は下方に調節し得る。カートリッジハウジングの先導皮膚係合面に対する剥脱部材の角度を、約−１５度〜約１５度の間の量だけ調節し得る。
【００６９】
他の実施態様も可能である。
【００７０】
例えば、今や図１５乃至１５Ｂを参照すると、一部の場合において、剃刀カートリッジによってもたらされる剥脱の程度は、剥脱部材以外のカートリッジ構成要素を移動することによって調節される。図１５乃至１５Ｂにおいて、カートリッジ１２は、６つの剥脱パッチ５０６から成る剥脱部材５０２を含む。６つの剥脱パッチ５０６が図１５乃至１５Ｂに示されているが、剥脱部材は、より少数（例えば、１個、２個、３個、４個、５個）の剥脱パッチ、又は、より多数（例えば、７個、８個、９個、１０個）の剥脱パッチを含み得る。剥脱パッチ５０６は、ホイールアクチュエータ５１４によって移動可能なフレーム（例えば、プラスチック製）によって取り囲まれている。図１５Ａ及び１５Ｂに示されるように、ホイールアクチュエータ５１４は、ある領域が他の領域よりも厚い。よって、使用者がホイールアクチュエータ５１４を回転すると、フレーム５１０は、フレームの下方のホイールアクチュエータの部分の厚さに依存して、上方又は下方に移動する。フレーム５１０が剥脱パッチ５０６と面一であるとき（図１５Ａ）、使用者は概ね低い程度の剥脱を経験する。それに反して、（図１５Ｂにおけるように）フレーム５１０がホイールアクチュエータ５１４の最薄部分の上に位置するとき、使用者は概ね高い程度の剥脱を経験する。図１５乃至１５Ｂには示されていないが、一部の場合には、パッチが概ね使用者の皮膚と殆ど或いは全く接触しないよう、フレーム５１０を剥脱パッチよりも高い位置に移動し得る。
【００７１】
一部の実施態様において、剥脱部材は、シェービング補助を備える潤滑又は湿潤シェービング補助マトリックスを含み得る。特定の場合には、シェービング補助を備える潤滑又は湿潤シェービング補助マトリックスを、剥脱部材の近傍に配置し得る。シェービング補助を備えるシェービング補助マトリックスは、共有され且つ同時継続中の米国特許出願第６０／４５５，６４６号に記載されており、その開示を参照として引用する。
【００７２】
１つのカートリッジ上で複数（例えば、少なくとも２つの）剥脱部材を用い得る。例えば、カートリッジは、３つの隣接する剥脱部材を有し得る。剥脱部材を概ね同一平面に沿って配置し得るし、或いは、異なる平面に沿って配置し得る。例えば、輪郭削りに有益な湾曲剥脱面を形成するよう剥脱部材を配置し得る。剥脱部材は、同一又は異なる組織及び／又は程度の粗さを有し得る。剥脱部材を同一又は異なる材料で形成し得る。一部の実施態様において、剥脱部材は異なる調節機構を有し得る。
【００７３】
特定の実施態様において、今や図１６乃至１６Ｂを参照すると、剥脱部材の下に配置されるバネを予負荷し得る。換言すれば、使用者が剥脱部材に対して押し付ける前にバネがその上に有効に「負荷」を有するよう、バネを剥脱部材とカートリッジ本体との間に幾分圧縮し得る。図１６及び１６Ａにおいて、調節機構６０２は、バネ６０４と、ポスト６１２と、サムホイール６１６とを含む。バネ６０４は、剥脱部材２４とポスト６１２の表面６０８との間に圧縮されている。特に図１６Ａ及び１６Ｂを参照すると、使用者は、ポスト６１２を移動するために、サムホイール６１６を回転し得る。ポスト６１２の動作は、バネ６０４の圧縮の程度を変え、次いで、それは使用者が剥脱部材２４を彼又は彼女の皮膚に対して押圧するときに直面する抵抗の量を変える。ポスト及びサムホイールが示されているが、使用者は、多数の異なる機構のいずれかによって（例えば、スライド又はダイアルを用いることによって）、バネ内の予負荷の量を手動で調節し得る。調節可能なバネを用いることの利点は、それを用いることで、使用者が剥脱可能な力の範囲を制御し得ることである。
【００７４】
剥脱部材はカートリッジの一部として示されているが、一部の場合には、剥脱部材はカートリッジと別体であり、カートリッジを取り囲み、さもなければ取り巻く。そのような場合には、剥脱部材の位置をカートリッジの位置に対して調節し得る。
【００７５】
特定の実施態様において、剥脱部材は、カートリッジを通じた水の排出を向上するためにスロット又は孔を含み得る。一部の実施態様において、シェービング補助及び／又は準備を剥脱の領域に導入するために、スロット又は孔を代替的に或いは追加的に用い得る。
【００７６】
剥脱部材は、例えば、蝶番によってカートリッジ本体に取り付けられ得るし、或いは、剥脱部材はカートリッジ本体と一体であり得る。例えば、剥脱部材は、カートリッジ本体と一体蝶番を形成し得る。
【００７７】
図１乃至８及び１０乃至１６Ｂのシェービングカートリッジは、３つのブレードと共に示されているが、一部の場合には、シェービングカートリッジは、より少数のブレード（例えば、１又は２つのブレード）又はより多数のブレード（例えば、４つのブレード、５つのブレード、６つのブレード）を有し得る。
【００７８】
一部の実施態様において、湿式シェービングシステムにおける１つ又はそれ以上のブレードは、剥脱部材に対して移動可能である。可動ブレードを備えるシェービングシステムは、Ｊａｃｏｂｓｏｎ、米国特許第４，３７８，６３４号に記載されており、その全文を参照としてここに引用する。
【００７９】
他の実施態様は請求項の範囲内にある。
【図面の簡単な説明】
【００８０】
【図１】シェービングシステムを示す斜視図である。
【図１Ａ】シェービングシステムを示す斜視図である。
【図２】図１及び１Ａのシェービングシステムのカートリッジを一部断面で示す側面図である。
【図２Ａ】線２Ａ−２Ａに沿った図２のカートリッジの一部を示す断面図である。
【図２Ｂ】調節機構を示す斜視図である。
【図２Ｃ】図２Ｂの調節機構を一部断面で示す斜視図である。
【図２Ｄ】図２Ｂの調節機構を一部断面で示す斜視図である
【図２Ｅ】調節機構を一部断面で示す斜視図である。
【図２Ｆ】図２Ｅの調節機構を示す斜視図である。
【図３】カートリッジを示す斜視図である。
【図４】カートリッジを示す斜視図である。
【図４Ａ】カートリッジが第一位置にあるときに、線４ＡＢ−４ＡＢに沿って取られた、図４のカートリッジの一部を示す断面図である。
【図４Ｂ】カートリッジが第二位置にあるときに、線４ＡＢ−４ＡＢに沿って取られた、図４のカートリッジの一部を示す断面図である。
【図５】カートリッジの斜視図である。
【図５Ａ】線５Ａ−５Ａに沿って取られた、図５のカートリッジの一部を示す断面図である。
【図６】カートリッジの斜視図である。
【図６Ａ】線６Ａ−６Ａに沿って取られた、図６のカートリッジの一部を示す断面図である。
【図７】カートリッジを一部断面で示す側面図である。
【図８】カートリッジの斜視図である。
【図９】カートリッジを一部断面で示す斜視図である。
【図９Ａ】図９のカートリッジの一部を一部断面で示す側面図である。
【図９Ｂ】調節機構を一部断面で示す側面図である。
【図９Ｃ】調節機構を一部断面で示す斜視図である。
【図１０】カートリッジの斜視図である。
【図１１】カートリッジを一部断面で示す側面図である。
【図１２】カートリッジの斜視図である。
【図１３】カートリッジの斜視図である。
【図１３Ａ】線１３Ａ−１３Ａに沿って取られた、図１３のカートリッジの一部を示す断面図である。
【図１４】シェービングシステムを一部断面で示す側面図である。
【図１４Ａ】図１４のシェービングシステムの斜視図である。
【図１５】カートリッジの斜視図である。
【図１５Ａ】カートリッジが低い剥脱の位置にあるときに線１５ＡＢ−１５ＡＢに沿って取られた、図１５のカートリッジの一部を示す断面図である。
【図１５Ｂ】カートリッジが高い剥脱の位置にあるときに線１５ＡＢ−１５ＡＢに沿って取られた、図１５のカートリッジの一部を示す断面図である
【図１６】カートリッジの斜視図である。
【図１６Ａ】線１６ＡＢ−１６ＡＢに沿って取られた、図１６のカートリッジの一部を示す部分断面図である。
【図１６Ｂ】線１６ＡＢ−１６ＡＢに沿って取られた、図１６のカートリッジの一部を示す部分断面図である。
【図１】
2007513712.tif 000003
【図１Ａ】
2007513712.tif 000004
【図２】
2007513712.tif 000005
【図２Ａ】
2007513712.tif 000006
【図２Ｂ】
2007513712.tif 000007
【図２Ｃ】
2007513712.tif 000008
【図２Ｄ】
2007513712.tif 000009
【図２Ｅ】
2007513712.tif 000010
【図２Ｆ】
2007513712.tif 000011
【図３】
2007513712.tif 000012
【図４】
2007513712.tif 000013
【図４Ａ】
2007513712.tif 000014
【図４Ｂ】
2007513712.tif 000015
【図５】
2007513712.tif 000016
【図５Ａ】
2007513712.tif 000017
【図６】
2007513712.tif 000018
【図６Ａ】
2007513712.tif 000019
【図７】
2007513712.tif 000020
【図８】
2007513712.tif 000021
【図９】
2007513712.tif 000022
【図９Ａ】
2007513712.tif 000023
【図９Ｂ】
2007513712.tif 000024
【図９Ｃ】
2007513712.tif 000025
【図１０】
2007513712.tif 000026
【図１１】
2007513712.tif 000027
【図１２】
2007513712.tif 000028
【図１３】
2007513712.tif 000029
【図１３Ａ】
2007513712.tif 000030
【図１４】
2007513712.tif 000031
【図１４Ａ】
2007513712.tif 000032
【図１５】
2007513712.tif 000033
【図１５Ａ】
2007513712.tif 000034
【図１５Ｂ】
2007513712.tif 000035
【図１６】
2007513712.tif 000036
【図１６Ａ】
2007513712.tif 000037
【図１６Ｂ】
2007513712.tif 000038
【国際調査報告】
2007513712.tif 000039
2007513712.tif 000040
2007513712.tif 000041
2007513712.tif 000042
2007513712.tif 000043